(57)【要約】【課題】テレビ会議端末装置の画面で、発言者の意志で発言を強調出来るようにした。更に、発言していない会議出席者間で情報伝達を可能にした。【解決手段】テレビ会議端末装置１００において、テレビ電話会議の出席者全員に聞こえるように発言する会議発言モードと、更にそのとき強調表示をする強調発言モードと、特定の会議出席者を選択し、その出席者のみに発言が聞こえるようにする個別発言モードとを選択することが出来る。指示入力部１０３からの操作と２つのマイクロホン１０１及び１０２との使い分けによりこれらのモードが実行される。強調発言モードの際には強調を示すメタデータがメタデータ作成部１０８により作成され、音声データと共にテレビ会議サーバに送信される。【選択図】      図１
2008118235.tif 000002
【特許請求の範囲】
【請求項１】
テレビ会議サーバとネットワークを介して接続された複数のテレビ会議端末装置を含むテレビ会議システムにおいて、
前記テレビ会議端末装置が、
発言時に使用するマイクロホンと、
会議出席者の映像を表示する表示部と、
全会議出席者に対して聞こえるように発言する第１の発言モードと、全会議出席者に対して聞こえるようにし更に画面上で発言者を強調表示する第２の発言モードと、特定の会議出席者のみに聞こえるように発言する第３の発言モードとを発言者の操作で切替選択する手段と、
を備えたことを特徴とするテレビ会議システム。
【請求項２】
前記テレビ会議端末装置が、前記第２の発言モードが選択された場合に、強調表示を示すメタデータを作成し、前記テレビ会議サーバに送信する手段を更に備えたことを特徴とする請求項１記載のテレビ会議システム。
【請求項３】
前記テレビ会議サーバは、前記メタデータを受信するとそのメタデータを送信した発言者を強調表示するテレビ会議映像を作成し、全会議出席者のテレビ会議端末装置に配信することを特徴とする請求項２記載のテレビ会議システム。
【請求項４】
前記テレビ会議端末装置が、
他の会議出席者のアドレスを管理する手段と、
前記第３の発言モードが選択された場合に、選択された前記特定の会議出席者のアドレスに音声データを送信する手段と、
を更に備えたことを特徴とする請求項１乃至３の何れか１つに記載のテレビ会議システム。
【請求項５】
前記テレビ会議端末装置が、前記第３の発言モードでの音声データ受信時と、その他の発言モードでの音声データ受信時とで、区別して音声再生する手段を更に備えたことを特徴とする請求項１乃至４の何れか１つに記載のテレビ会議システム。
【請求項６】
前記マイクロホンは、前記第３の発言モードで使用するマイクロホンと、その他の発言モードで使用するマイクロホンと、から構成されることを特徴とする請求項１乃至５の何れか１つに記載のテレビ会議システム。
【請求項７】
前記テレビ会議端末装置が、前記第３の発言モードでの音声データ受信時には、その音声データを送信した会議出席者の映像を、他の会議出席者と区別出来るように表示する手段を更に備えたことを特徴とする請求項１乃至６の何れか１つに記載のテレビ会議システム。
【請求項８】
テレビ会議サーバとネットワークを介して接続された複数のテレビ会議端末装置を含むテレビ会議システムにおける制御方法であって、
前記テレビ会議端末装置において、
全会議出席者に対して聞こえるように発言する第１の発言モードと、
全会議出席者に対して聞こえるようにし更に画面上で発言者を強調表示する第２の発言モードと、
特定の会議出席者のみに聞こえるように発言する第３の発言モードと、
を発言者の操作で切替選択することを特徴とするテレビ会議システムにおける制御方法。
【請求項９】
前記テレビ会議端末装置が、前記第２の発言モードが選択された場合に、強調表示を示すメタデータを作成し、前記テレビ会議サーバに送信することを特徴とする請求項８記載のテレビ会議システムにおける制御方法。
【請求項１０】
前記テレビ会議サーバが、前記メタデータを受信するとそのメタデータを送信した発言者を強調表示するテレビ会議映像を作成し、全会議出席者のテレビ会議端末装置に配信することを特徴とする請求項９記載のテレビ会議システムにおける制御方法。
【請求項１１】
前記テレビ会議端末装置において、他の会議出席者のアドレスを管理し、前記第３の発言モードが選択された場合に、選択された前記特定の会議出席者のアドレスに音声データを送信することを特徴とする請求項８乃至１０の何れか１つに記載のテレビ会議システムにおける制御方法。
【請求項１２】
前記テレビ会議端末装置が、前記第３の発言モードでの音声データ受信時と、その他の発言モードでの音声データ受信時とで、区別して音声再生することを特徴とする請求項８乃至１１の何れか１つに記載のテレビ会議システムにおける制御方法。
【請求項１３】
前記テレビ会議端末装置が、前記第３の発言モードでの音声データ受信時には、その音声データを送信した会議出席者の映像を、他の会議出席者と区別出来るように表示することを特徴とする請求項８乃至１２の何れか１つに記載のテレビ会議システム。
【発明の詳細な説明】
【技術分野】
【０００１】
本発明は、多地点間のテレビ電話会議を実現するテレビ会議システム、及び、テレビ会議システムにおける制御方法に関する。
【背景技術】
【０００２】
従来、多地点テレビ会議システムに使用するテレビ会議端末装置では、表示する相手の画像数を指定すること等により、画面を分割して会議に参加している相手を表示する。この表示方法に関し、例えば、特開平９−７００３１号公報（特許文献１）記載の技術が知られている。この技術では、全出席者とその中の発言者のみとを別々のカメラで撮影し、発言者の映像を全出席者映像にスーパーインポーズで表示することにより、誰が発言しているかが分かるようになっている。発言者を強調して表示する技術は、特開２００２−２１８４２４号公報（特許文献２）にも開示されている。
【０００３】
又、特開２００４−３４３７６１号公報（特許文献３）では、受動的参加者に提供される会議メディアをある能動的参加者の活動や選択に基づいて決定する技術が提案されている。この技術においては、発言者からのフィードバックがバックチャネルを介して提供され、発言者の活動に基づいて、発言していない参加者にサーバからリアルタイムにコンテンツが配信される。
【０００４】
【特許文献１】特開平９−７００３１号公報
【特許文献２】特開２００２−２１８４２４号公報
【特許文献３】特開２００４−３４３７６１号公報
【発明の開示】
【発明が解決しようとする課題】
【０００５】
上記特許文献１おける発言者強調表示においては、発言者の決定は司会者又はテレビ会議システム操作者の判断で行っている。又、上記特許文献２においては、発言者の決定はテレビ会議システムの自動判定である。しかし、いずれの場合においても発言者の意志は反映されていない。
【０００６】
又、特許文献３においては、情報を提供するには会議で発言することしか出来ず、すると出席者全員にその情報が伝わる。従って、特定の会議出席者のみに個別に情報を伝えることが出来ない。即ち、発言者以外の会議出席者から他の特定の会議出席者に情報を送る手段が提供されていない。
【０００７】
本発明の目的は、このような従来の課題を解決し、発言者が発言を強調したい時に画面でその意志を反映でき、更に、テレビ会議の発言者以外の出席者同士での情報伝達を可能にしたテレビ会議システム、及び、テレビ会議システムにおける制御方法を提供することにある。
【課題を解決するための手段】
【０００８】
本発明は、テレビ会議サーバとネットワークを介して接続された複数のテレビ会議端末装置を含むテレビ会議システムにおいて、前記テレビ会議端末装置が、発言時に使用するマイクロホンと、会議出席者の映像を表示する表示部と、全会議出席者に対して聞こえるように発言する第１の発言モードと、全会議出席者に対して聞こえるようにし更に画面上で発言者を強調表示する第２の発言モードと、特定の会議出席者のみに聞こえるように発言する第３の発言モードとを発言者の操作で切替選択する手段と、を備えたことを特徴とする。
【０００９】
又、本発明のテレビ会議システムにおいて、前記テレビ会議端末装置が、前記第２の発言モードが選択された場合に、強調表示を示すメタデータを作成し、前記テレビ会議サーバに送信する手段を更に備えても良い。
【００１０】
又、本発明のテレビ会議システムにおいて、前記テレビ会議サーバは、前記メタデータを受信するとそのメタデータを送信した発言者を強調表示するテレビ会議映像を作成し、全会議出席者のテレビ会議端末装置に配信するようにしても良い。
【００１１】
又、本発明のテレビ会議システムにおいて、前記テレビ会議端末装置が、他の会議出席者のアドレスを管理する手段と、前記第３の発言モードが選択された場合に、選択された前記特定の会議出席者のアドレスに音声データを送信する手段と、を更に備えも良い。
【００１２】
又、本発明のテレビ会議システムにおいて、前記テレビ会議端末装置が、前記第３の発言モードでの音声データ受信時と、その他の発言モードでの音声データ受信時とで、区別して音声再生する手段を更に備えても良い。
【００１３】
又、本発明のテレビ会議システムにおいて、前記マイクロホンは、前記第３の発言モードで使用するマイクロホンと、その他の発言モードで使用するマイクロホンと、から構成されても良い。
【００１４】
又、本発明のテレビ会議システムにおいて、前記テレビ会議端末装置が、前記第３の発言モードでの音声データ受信時には、その音声データを送信した会議出席者の映像を、他の会議出席者と区別出来るように表示する手段を更に備えても良い。
【００１５】
本発明は、テレビ会議サーバとネットワークを介して接続された複数のテレビ会議端末装置を含むテレビ会議システムにおける制御方法であって、前記テレビ会議端末装置において、全会議出席者に対して聞こえるように発言する第１の発言モードと、全会議出席者に対して聞こえるようにし更に画面上で発言者を強調表示する第２の発言モードと、特定の会議出席者のみに聞こえるように発言する第３の発言モードと、を発言者の操作で切替選択することを特徴とする。
【００１６】
又、本発明のテレビ会議システムにおける制御方法において、前記テレビ会議端末装置が、前記第２の発言モードが選択された場合に、強調表示を示すメタデータを作成し、前記テレビ会議サーバに送信するようにしても良い。
【００１７】
又、本発明のテレビ会議システムにおける制御方法において、前記テレビ会議サーバが、前記メタデータを受信するとそのメタデータを送信した発言者を強調表示するテレビ会議映像を作成し、全会議出席者のテレビ会議端末装置に配信するようにしても良い。
【００１８】
又、本発明のテレビ会議システムにおける制御方法において、前記テレビ会議端末装置において、他の会議出席者のアドレスを管理し、前記第３の発言モードが選択された場合に、選択された前記特定の会議出席者のアドレスに音声データを送信するようにしても良い。
【００１９】
又、本発明のテレビ会議システムにおける制御方法において、前記テレビ会議端末装置が、前記第３の発言モードでの音声データ受信時と、その他の発言モードでの音声データ受信時とで、区別して音声再生するようにしても良い。
【００２０】
又、本発明のテレビ会議システムにおける制御方法において、前記テレビ会議端末装置が、前記第３の発言モードでの音声データ受信時には、その音声データを送信した会議出席者の映像を、他の会議出席者と区別出来るように表示するようにしても良い。
【発明の効果】
【００２１】
本発明によれば、発言者が発言を強調したい時に自らの操作で画面上の強調表示を行えるのでその意志を的確に反映できる。更に、本発明によれば、発言を会議出席者全員には聞かせずに特定の相手を選んで送信出来る手段を設けたので、テレビ会議の発言者以外の出席者同士での情報伝達が可能になる。
【発明を実施するための最良の形態】
【００２２】
次に、本発明を実施するための最良の形態について図面を参照して詳細に説明する。図１は、本発明の一実施形態におけるテレビ会議端末装置の構成を示す機能ブロック図である。図２は、本発明の一実施形態におけるテレビ会議システム全体を示す機能ブロック図である。
【００２３】
図１において、テレビ会議端末装置１００は、第１のマイクロホン１０１と、第２のマイクロホン１０２と、指示入力部１０３と、カメラ１０４と、表示部１０５と、音声受信制御部１０６と、音声送信制御部１０７と、メタデータ作成部１０８と、映像制御部１０９と、出席者アドレス管理部１１０と、スピーカ１１１とを備えている。
【００２４】
テレビ会議システムとしては、図２に示すように、ネットワーク２０２を介してテレビ会議サーバ２０１と、複数のテレビ会議端末装置１００ａ−１００ｃが接続されている。テレビ会議端末装置１００ａ−１００ｃは、図１のテレビ会議端末装置１００と同一構成である。
【００２５】
本実施形態におけるテレビ会議端末装置１００では、発言を送信する場合に次の３種類のモードがある。第１のモードは、テレビ電話会議の出席者全員に聞こえるように発言するが強調表示をしないモードであり、ここではこれを「会議発言モード」と呼ぶ。第２のモードは、テレビ電話会議の出席者全員に聞こえるように発言し、更に強調表示をするモードであり、これを「強調発言モード」と呼ぶ。第３のモードは、特定の会議出席者を選択し、その出席者のみに発言が聞こえるようにするモードであり、これを「個別発言モード」と呼ぶ。
【００２６】
図１に戻り、テレビ会議端末装置１００の詳細について説明する。第１のマイクロホン１０１は、テレビ電話会議の出席者全員に聞こえるように発言するときに利用されるマイクロホンである。即ち、マイクロホン１０１は、会議発言モード及び強調発言モードで使用される。一方、第２のマイクロホン１０２は、テレビ電話会議の出席者の中で指定した出席者にのみ聞こえるように発言するとき（個別発言モード）に利用されるマイクロホンである。
【００２７】
指示入力部１０３は、発言者が指示を入力する機能ブロックである。発言者は、テレビ電話会議で第１のマイクロホン１０１を用いて発言する場合で、出席者全員に聞こえるように発言したことを強調したいときに、この指示入力部１０３を操作して強調指示を入力する。又、発言者は、第２のマイクロホン１０２を用いて特定の出席者のみに発言をしたい場合には、この指示入力部１０３を用いてその旨の指示と必要な情報とを入力する。この指示入力部１０３は、例えば、キーボート、マウス、専用ボタン等の入力装置で実現出来る。
【００２８】
カメラ１０４は、テレビ電話会議の出席者の顔など、出席者が映したい映像を撮影してテレビ会議サーバ２０１へ送る。表示部１０５は、テレビ電話会議に参加した場合にテレビ会議サーバ２０１からネットワーク２０２を介して配信される映像を表示する。
【００２９】
音声受信制御部１０６は、ネットワーク２０２から受信した音声データを判別して処理し、スピーカ１１１を通して再生する機能ブロックである。音声受信制御部１０６において受信する音声データは、テレビ会議に出席している特定の出席者のテレビ会議端末装置から自分宛に届く音声と、テレビ会議サーバ２０１により全ての会議出席者に配信される音声とがある。音声送信制御部１０７は、指示入力部１０３の操作、及び、第１のマイクロホン１０１と第２のマイクロホン１０２のどちらが使用されたかにより、音声データの送信宛先を制御する。
【００３０】
メタデータ作成部１０８は、指示入力部１０３の操作に応じて必要なメタデータを作成する機能ブロックである。メタデータとは、データについての情報を記述した管理用データであり、本実施形態の場合は、強調を意味する。作成されたメタデータは、テレビ会議サーバ２０１へ音声データと関連付けて送信される。
【００３１】
映像制御部１０９は、表示部１０５に表示する映像を処理する機能ブロックである。ネットワーク２０２を介してテレビ会議サーバ２０１から配信される出席者映像の表示制御や、出席者アドレス管理部１１０が管理している出席者リストの表示制御を行う。
【００３２】
出席者アドレス管理部１１０は、テレビ電話会議開始時にテレビ会議サーバ２０１から出席者リストを受け取り、他の出席者のアドレスを格納する。特定の会議出席者のみへ伝える為に第２のマイクロホン１０２を使用して発言する場合には、指示入力部１０３の操作により出席者リストを表示して相手先、即ち、音声データを送付する宛先を決定する。
【００３３】
スピーカ１１１は、音声受信制御部１０６の制御により、テレビ会議サーバ２０１から送られてきた音声と、多の出席者から直接送信された音声とを区別して再生する。
【００３４】
次に、本発明を実施する為の最良の形態の動作について図面を参照して説明する。図３は、本発明の一実施形態において出席者が発言する場合のテレビ会議端末装置１００側の動作を示すフローチャートである。図４は、本発明の一実施形態におけるテレビ会議サーバ２０１側の動作を示すフローチャートである。図５は、本発明の一実施形態におけるテレビ会議端末１００側の音声受信動作と再生動作を示すフローチャートである。
【００３５】
まず、テレビ電話会議に参加するテレビ会議端末装置１００は、ネットワーク２０２を介してテレビ会議サーバ２０１にアクセスし、会議参加の登録処理を行う（図３のステップＳ３０１）。テレビ電話会議が開始されると、カメラ１０４の撮影映像をテレビ会議サーバ２０１に送信すると共に、テレビ会議サーバ２０１から会議用映像が配信されるのでこれを受信し表示部１０５に表示する。又、テレビ会議サーバ２０１からは、出席者名とアドレスと含む出席者リストも配信されるので、これを出席者アドレス管理部１１０に格納する。この出席者リストは表示部１０５の一部に表示することができる（ステップＳ３０２）。尚、受信する音声の処理については後述する。
【００３６】
会議出席者が発言を希望し（ステップＳ３０３のＹＥＳ）、会議上での発言とする場合（出席者全員へ聞かせる場合）で（ステップＳ３０４のＹＥＳ）、発言を強調したい場合には（ステップＳ３０５のＹＥＳ）、自分が発言していることを出席者全員のテレビ会議端末装置１００の画面上で強調表示することが出来る。即ち、指示入力部１０３により強調指示の入力操作を行い、マイクロホン１０１を用いて発言する（強調発言モード）（ステップＳ３０６）。
【００３７】
メタデータ作成部１０８は、指示入力部１０３での強調指示を検知して、音声は強調されていることを示すメタデータを作成する。音声送信制御部１０７は、このメタデータを発言音声と関連付けてテレビ会議サーバ２０１へ送信する。
【００３８】
会議上で発言するが特に強調表示を希望しない場合は（ステップＳ３０５のＮＯ）、強調指示を入力せずに、マイクロホン１０１を用いて発言する（会議発言モード）（ステップＳ３０７）。この場合に音声送信制御部１０７は、強調を意味するメタデータを付加せずに音声データをテレビ会議サーバ２０１へ送信する。
【００３９】
一方、会議上で発言せずに、特定の出席者のみに発言を伝えたい場合には（ステップＳ３０４のＮＯ）、指示入力部１０３を操作して出席者リストの中から発言の宛先を選択し、マイクロホン１０２を用いて発言する（個別発言モード）（ステップＳ３０８）。この場合に音声送信制御部１０７は、音声データを選択された相手先のアドレスに直接送信する。このように、テレビ会議端末装置１００では、発言状況に応じた処理が会議終了（ステップＳ３０９のＹＥＳ）まで繰り返される。
【００４０】
一方、テレビ会議サーバ２０１においては、出席者が揃ってテレビ電話会議が開始されると（図４のステップＳ４０１）、出席者のテレビ会議端末装置１００に出席者リストを配信する（ステップＳ４０２）。各出席者のテレビ会議端末装置１００から映像及び音声データが送信されてくると、それらのデータをテレビ会議用（複数の出席者表示）に加工する（ステップＳ４０３）。このとき、受信した音声データに強調表示のメタデータが付加されていると（ステップＳ４０４のＹＥＳ）、そのデータを送信してきたテレビ会議端末の出席者を強調するような映像を作成する（ステップＳ４０５）。作成された映像及び音声のデータは、ネットワーク２０２を介して出席者のテレビ会議端末装置１００に配信される（ステップＳ４０６）。会議が終了するまで（ステップＳ４０７のＹＥＳ）、ステップＳ４０３からステップ４０６の処理が繰り返される。
【００４１】
次に、テレビ会議端末装置１００での音声受信動作については、音声受信制御部１０６は、受信した音声データの発信元アドレスを参照して、テレビ会議サーバ２０１から配信された音声データか否かを判定する（図５のステップＳ５０１）。テレビ会議サーバ２０１から受信した音声データであれば、主音声で再生しスピーカ１１１に出力する（ステップＳ５０２）。一方、テレビ会議サーバ２０１から受信した音声データでなければ、他の出席者からのマイクロホン１０２を使用した発言だと判断し、副音声で再生しスピーカ１１１に出力する（ステップＳ５０３）。
【００４２】
図６（ａ）及び（ｂ）は、テレビ会議端末装置１００の表示部１０５に表示される映像の一例を示す図である。図６（ａ）は、出席者アドレス管理部１１０が管理している出席者リストにより、映像制御部１０９がテレビ会議用映像を表示部１０５に出力している画面６０１の例である。この画面例では、４分割された画面に各出席者の映像とそれに割り当られた出席者番号と出席者名等（６０３ａ〜６０３ｄ）が表示されている。この画面例では、出席者Ｊｈｏｎさんが、テレビ会議端末装置１００の指示入力部１０３で強調を指示し発言しているので（図３のステップＳ３０６処理）、強調表示６０２が為されている（強調発言モード）。この強調表示は、例えば、赤色の枠を表示する等、目につきやすいものとする。
【００４３】
図６（ｂ）は、個別発言モードで第２のマイクロホン１０２を使用した発言（図３のステップＳ３０８処理）を行う為に、発言宛先を選択する際の画面例である。第２のマイクロホン１０２で発言する個別発言モードの旨を指示入力部１０３により操作すると、出席者アドレス管理部１１０が管理している出席者リスト６１０が表示されるので、指示入力部１０３により出席者番号を入力する等で発言の宛先を選択する。マイクロホン１０２が有効となりこれを利用して集音され、音声送信制御部１０７は音声データを生成し、選択した宛先に送信する。
【００４４】
尚、図示していないが、個別発言モードで発言の宛先となったテレビ会議端末装置１００の表示部１０５の画面において、音声データを送信してきた出席者を画面上で判別できるような表示を加えても良い。即ち、個別発言モードによる音声データを受信したテレビ会議端末装置１００では、音声データの送信アドレスから、音声データ送信者が判別出来るので、その送信者を画面上で、強調表示６０２と区別出来る表示にすれば良い。例えば、強調発言モードの強調表示６０２を赤い色の枠表示とすれば、個別発言モードによる送信者をそれ以外の青色や黄色等で枠表示することにより、誰が個別発言を送信してきたか一目で分かる。
【００４５】
尚、上記実施形態における３つの発言モードの切替については、指示入力部１０３を発言しようとするたびに操作して発言モードを選択するようにしても良いし、又、特に操作がなければ基本的には会議発言モードとして第１のマイクロホン１０１を使用し、強調発言モード及び個別発言モードを使用する時には指示入力部１０３からの操作入力を行うようにしても良い。
【００４６】
次に、本発明の他の実施形態について、図面を参照して説明する。図７は、本発明の他の実施形態におけるテレビ会議端末装置の構成を示す機能ブロック図である。図７において、テレビ会議端末装置７００は、マイクロホン７０１と、マイクロホン切替制御部７０２と、指示入力部７０３と、カメラ７０４と、表示部７０５と、音声受信制御部７０６と、音声送信制御部７０７と、メタデータ作成部７０８と、映像制御部７０９と、出席者アドレス管理部７１０と、スピーカ７１１とを備えている。
【００４７】
図１の実施形態との違いは、第２のマイクロホン１０２（図１）が省略され、その代わりにマイクロホン切替制御部７０２が設けられていることである。即ち、１つのマイクロホン７０１を、会議上での発言（会議発言モード及び強調発言モード）と特定相手への発言（個別発言モード）とに共通して使用し、その制御動作をマイクロホン切替制御部７０２で切り替えている。例えば、指示入力部７０３での指示入力が特になければ、会議発言モードで処理し（図３のステップＳ３０７処理に相当）、強調指示入力があれば、強調発言モードで処理（図３のステップＳ３０６処理に相当）する。更に、指示入力部７０３で個別発言モードの指示入力があれば相手を選択して音声データを送信する処理を行う（図３のステップＳ３０８処理に相当）。それ以外の各機能ブロックの構成、動作については図１の実施形態における相当する各機能ブロックと同一であるので、重複する説明は省略する。
【００４８】
尚、本発明は上述の実施形態のみに限定されるものではなく、本発明の要旨を逸脱しない範囲で種々変形して実施することが出来る。
【図面の簡単な説明】
【００４９】
【図１】本発明の一実施形態におけるテレビ会議端末装置の構成を示す機能ブロック図である。
【図２】本発明の一実施形態におけるテレビ会議システム全体を示す機能ブロック図である。
【図３】本発明の一実施形態にいて出席者が発言する場合のテレビ会議端末装置側の動作を示すフローチャートである。
【図４】本発明の一実施形態におけるテレビ会議サーバ側の動作を示すフローチャートである。
【図５】本発明の一実施形態におけるテレビ会議端末側の音声受信動作と再生動作を示すフローチャートである。
【図６】（ａ）及び（ｂ）は、本発明の一実施形態におけるテレビ会議端末装置の表示部に表示される映像の一例を示す図である。
【図７】本発明の他の実施形態におけるテレビ会議端末装置の構成を示す機能ブロック図である。
【符号の説明】
【００５０】
１００    テレビ会議端末装置
１０１    マイクロホン
１０２    マイクロホン
１０３    指示入力部
１０４    カメラ
１０５    表示部
１０６    音声受信制御部
１０７    音声送信制御部
１０８    メタデータ作成部
１０９    映像制御部
１１０    出席者アドレス管理部
１１１    スピーカ
２０１    テレビ会議サーバ
２０２    ネットワーク
７００    テレビ会議端末装置
７０１    マイクロホン
７０２    マイクロホン切替制御部
７０３    指示入力部
７０４    カメラ
７０５    表示部
７０６    音声受信制御部
７０７    音声送信制御部
７０８    メタデータ作成部
７０９    映像制御部
７１０    出席者アドレス管理部
７１１    スピーカ
【図１】
2008118235.tif 000003
【図２】
2008118235.tif 000004
【図３】
2008118235.tif 000005
【図４】
2008118235.tif 000006
【図５】
2008118235.tif 000007
【図６】
2008118235.tif 000008
【図７】
2008118235.tif 000009